(57)【要約】      （修正有）【課題】調光装置の大型化または採光面積の縮小を避けつつ、階調タイプの調光装置において所望の調光性能を得る技術を提供する。【解決手段】透過率が段階的に変化する調光装置であって、吸収型の第１偏光フィルムと、吸収型の第２偏光フィルムと、２つの偏光フィルムの間に配置され、互いに少なくとも部分的に対面するように構成された第１位相差フィルムおよび第２位相差フィルムと、を有し、第１位相差フィルムは、第１軸に沿って面内遅相軸が段階的に変化する複数の第１調光領域を有し、第２位相差フィルムは、第１調光領域に対応し、かつ、第１軸に沿って面内遅相軸が段階的に変化する複数の第２調光領域を有し、第１位相差フィルムおよび第２位相差フィルムの少なくとも一方は、対面する領域が変化するように可動であり、透過率が最小となる位置から透過率が最大となる位置まで光制御板をスライドするこにより、透過率が連続的に変化していく調光装置。【選択図】図１２
2019045840.tif 000002
【特許請求の範囲】
【請求項１】
透過率が段階的に変化する調光装置であって、
吸収型の第１偏光フィルムと、
吸収型の第２偏光フィルムと、
前記第１偏光フィルムと前記第２偏光フィルムの間に配置され、互いに少なくとも部分的に対面するように構成された第１位相差フィルムおよび第２位相差フィルムと、を有し、
前記第１位相差フィルムは、第１軸に沿って面内遅相軸が段階的に変化する複数の第１調光領域を有し、
前記第２位相差フィルムは、前記第１調光領域に対応し、かつ、前記第１軸に沿って面内遅相軸が段階的に変化する複数の第２調光領域を有し、
前記第１位相差フィルムおよび前記第２位相差フィルムの少なくとも一方は、対面する領域が変化するように可動であり、
透過率が最大値（Ｔ１（％））となるときの前記第１位相差フィルムと前記第２位相差フィルムとの相対的な位置を第１の位置とし、前記第１の位置から透過率が漸減し最初に最小値（Ｔ２（％））となるときの前記第１位相差フィルムと前記第２位相差フィルムとの相対的な位置を第２の位置とすると、
前記第１の位置と前記第２の位置の距離が４０ｍｍ以下であり、
前記第１の位置における透過率が２０％以上かつ３５％以下であり、
前記第１の位置と、前記第１の位置と前記第２の位置の間に存在し、透過率がＴ１より絶対値で２％小さくなる第３の位置との距離が１ｍｍ以上であり、
前記第１の位置と前記第３の位置とによって規定される範囲内において透過率が変化する点が３点以上存在する、調光装置。
【請求項２】
請求項１において、
透過率の最小値（Ｔ２）は、０．０１％以上０．３％以下であり、
前記第２の位置と、前記第１の位置と前記第２の位置の間に存在し透過率がＴ２よりも絶対値で２％大きくなる第４の位置との距離が１ｍｍ以上である、調光装置。
【請求項３】
請求項１または２において、
前記第１位相差フィルムおよび前記第２位相差フィルムのうち可動の位相差フィルムのスライド量は、前記第１の位置と前記第２の位置との距離に基づいて規定され、
前記スライド量は、３ｍｍ以上２６ｍｍ以下である、調光装置。
【請求項４】
請求項１から３の何れか１項において、
前記第１の位置と前記第３の位置とによって規定される範囲に透過率が変化する点が２０点以上存在する、調光装置。
【請求項５】
請求項１から４の何れか１項において、
前記第１の位置と前記第３の位置とによって規定される範囲に透過率が変化する点が５０点以上存在する、調光装置。
【請求項６】
請求項１から５の何れか１項において、
さらに、前記第１位相差フィルムを支持する第１基板と、前記第２位相差フィルムを支持する第２基板と、を有し、
前記第１軸の上で前記第１基板の端部と前記第２基板の端部とを合わせたとき、透過率が最大値又は最小値をとるように構成されている、調光装置。
【請求項７】
透過率が段階的に変化する調光装置であって、
吸収型の第１偏光フィルムと、
吸収型の第２偏光フィルムと、
前記第１偏光フィルムと前記第２偏光フィルムの間に配置され、互いに少なくとも部分的に対面するように構成された第１位相差フィルムおよび第２位相差フィルムと、を有し、
前記第１位相差フィルムは、第１軸に沿って面内遅相軸が段階的に変化する複数の第１調光領域を有し、
前記第２位相差フィルムは、前記第１調光領域に対応し、かつ、前記第１軸に沿って面内遅相軸が段階的に変化する複数の第２調光領域を有し、
前記第１位相差フィルムおよび前記第２位相差フィルムの少なくとも一方は、対面する領域が変化するように可動であり、
透過率が最大値（Ｔ１（％））となるときの前記第１位相差フィルムと前記第２位相差フィルムとの相対的な位置を第１の位置とし、前記第１の位置から透過率が漸減し最初に最小値（Ｔ２（％））となるときの前記第１位相差フィルムと前記第２位相差フィルムとの相対的な位置を第２の位置とすると、
前記第１の位置と前記第２の位置との距離が１ｍｍ以上４０ｍｍ以下であり、
前記第１の位置と前記第２の位置の間には、１点以上５１２点以下の透過率の変化点が存在し、
前記第１位相差フィルムおよび前記第２位相差フィルムにおいて、前記面内遅相軸が０°から１８０°まで変化する際の光軸の分割数である階調数が４の倍数の値に設定されている、調光装置。
【請求項８】
請求項７において、
前記第１の位置と前記第２の位置との距離は、前記第１位相差フィルムおよび前記第２位相差フィルムのうち可動の位相差フィルムのスライド量とし、
隣接する透過率の変化点同士の距離をストライプ幅とすると、
前記スライド量は、前記階調数×前記ストライプ幅÷４によって規定される、調光装置。
【請求項９】
請求項８において、
前記スライド量は、３．０ｍｍ以上２６．０ｍｍ以下である、調光装置。
【請求項１０】
請求項９において、
前記階調数が４の場合、前記ストライプ幅は、３．０ｍｍ以上２５．４ｍｍ以下であり、
前記階調数が８の場合、前記ストライプ幅は、１．５ｍｍ以上１３．０ｍｍ以下であり、
前記階調数が１２の場合、前記ストライプ幅は、１．０ｍｍ以上８．６７ｍｍ以下であり、
前記階調数が１６の場合、前記ストライプ幅は、０．７５ｍｍ以上１６．５ｍｍ以下であり、
前記階調数が２０の場合、前記ストライプ幅は、０．６ｍｍ以上３．０ｍｍ以下であり、
前記階調数が３２の場合、前記ストライプ幅は、０．３８ｍｍ以上３．０ｍｍ以下であり、
前記階調数が６４の場合、前記ストライプ幅は、０．１８８ｍｍ以上１．６２５ｍｍ以下であり、
前記階調数が６８の場合、前記ストライプ幅は、０．１７６ｍｍ以上１．５３ｍｍ以下であり、
前記階調数が７２の場合、前記ストライプ幅は、０．１６７ｍｍ以上１．４４ｍｍ以下であり、
前記階調数が７６の場合、前記ストライプ幅は、０．１５８ｍｍ以上１．３７ｍｍ以下であり、
前記階調数が１２８の場合、前記ストライプ幅は、０．０９４ｍｍ以上０．８１２５ｍｍ以下であり、
前記階調数が２５６の場合、前記ストライプ幅は、０．０４７ｍｍ以上０．４０６ｍｍ以下であり、
前記階調数が５１２の場合、前記ストライプ幅は、０．０２３ｍｍ以上０．２０３ｍｍ以下であり、
前記階調数が１０２４の場合、前記ストライプ幅は、０．０１２ｍｍ以上０．１ｍｍ以下である、調光装置。
【請求項１１】
請求項７から１０の何れか１項において、
前記第１の位置における透過率が２０％以上かつ３５％以下であり、
前記第１の位置と、前記第１の位置と前記第２の位置の間に存在し、透過率がＴ１より絶対値で２％小さくなる第３の位置との距離が１ｍｍ以上である、調光装置。
【請求項１２】
請求項１１において、
前記第１の位置と前記第３の位置とによって規定される範囲内において透過率が変化する点が３点以上存在する、調光装置。
【請求項１３】
請求項１１または１２において、
前記第１の位置と前記第３の位置とによって規定される範囲に透過率が変化する点が５０点以上存在する、調光装置。
【請求項１４】
吸収型の第１偏光フィルムと、第１位相差フィルムとを含む、第１の調光フィルムと、
吸収型の第２偏光フィルムと、第２位相差フィルムとを含む、第２の調光フィルムと、を備え、
前記第１位相差フィルムは、第１軸に沿って面内遅相軸が段階的に変化する複数の第１調光領域を有し、
前記第２位相差フィルムは、前記第１調光領域に対応し、かつ、前記第１軸に沿って面内遅相軸が段階的に変化する複数の第２調光領域を有し、
前記第１の調光フィルムと前記第２の調光フィルムとを対向させたときに、透過率が最大値（Ｔ１（％））となるときの前記第１位相差フィルムと前記第２位相差フィルムとの相対的な位置を第１の位置とし、前記第１の位置から透過率が漸減し最初に最小値（Ｔ２（％））となるときの前記第１位相差フィルムと前記第２位相差フィルムとの相対的な位置を第２の位置とすると、
前記第１の位置と前記第２の位置の距離が４０ｍｍ以下であり、
前記第１の位置における透過率が２０％以上かつ３５％以下であり、
前記第１の位置と、前記第１の位置と前記第２の位置の間に存在し、透過率がＴ１より絶対値で２％小さくなる第３の位置との距離が１ｍｍ以上であり、
前記第１の位置と前記第３の位置とによって規定される範囲内において透過率が変化する点が３点以上存在する、調光フィルムセット。
【請求項１５】
吸収型の第１偏光フィルムと、第１位相差フィルムとを含む、第１の調光フィルムと、
吸収型の第２偏光フィルムと、第２位相差フィルムとを含む、第２の調光フィルムと、を備え、
前記第１位相差フィルムは、第１軸に沿って面内遅相軸が段階的に変化する複数の第１調光領域を有し、
前記第２位相差フィルムは、前記第１調光領域に対応し、かつ、前記第１軸に沿って面内遅相軸が段階的に変化する複数の第２調光領域を有し、
前記第１の調光フィルムと前記第２の調光フィルムとを対向させたときに、透過率が最大値（Ｔ１（％））となるときの前記第１位相差フィルムと前記第２位相差フィルムとの相対的な位置を第１の位置とし、前記第１の位置から透過率が漸減し最初に最小値（Ｔ２（％））となるときの前記第１位相差フィルムと前記第２位相差フィルムとの相対的な位置を第２の位置とすると、
前記第１の位置と前記第２の位置との距離が１ｍｍ以上４０ｍｍ以下であり、
前記第１の位置と前記第２の位置の間には、１点以上５１２点以下の透過率の変化点が存在し、
前記第１位相差フィルムおよび前記第２位相差フィルムにおいて、前記面内遅相軸が０°から１８０°まで変化する際の光軸の分割数である階調数が４の倍数の値に設定されている、調光フィルムセット。
【発明の詳細な説明】
【技術分野】
【０００１】
本開示は、調光装置、および調光フィルムセットに関する。
【背景技術】
【０００２】
特許文献１には、それぞれ偏光板とパターン位相差板で構成される第１光制御板と第２光制御板とを対面させ、第２光制御板を第１光制御板に対してスライドさせ、各位相差板の光学軸の成す角を変化させて光の変更状態を変えることにより、明暗（光の透過状態と遮光状態）を段階的に変化させるように構成された調光装置が開示されている。
【先行技術文献】
【特許文献】
【０００３】
【特許文献１】特表２０１４−５０７６７６号公報
【発明の概要】
【発明が解決しようとする課題】
【０００４】
上記調光装置では、例えば、透過率が最小となる位置から透過率が最大となる位置まで光制御板をスライドすることにより、ヒトの目には透過率が連続的に変化していくように感じられるようになっている。本発明者らは、上記光制御板（第１および第２光制御板）として、透過率の最小の値を小さくしてプライバシー性を高めることを目指し、例えば、偏光度の高い偏光板（一例として偏光度９９％以上）と位相差フィルムを含む構成の採用を検討した。そのうち、偏光度の高い吸収型の偏光板の採用を検討した。吸収型の偏光板として、例えば２色性色素で染色し一軸延伸した偏光板を２枚用いた場合、透過率の最大値が低くなってしまう（例えば、２０％〜３５％）。偏光板において、偏光度と透過率はトレードオフの関係にあり、偏光度を高めると透過率が低下してしまう。本発明者らは、透過率の最大値が低い場合、少しの透過率の減少によって透過状態の見た目が大きく変化してしまうことを確認した。
【０００５】
また、位相差フィルムの貼り合せの精度、装置機構の製造誤差等といった要因により、光制御板同士が位置ずれを起こす場合がある。すると、設計通りに明暗が実現されず、視認者に良好な透過状態を提供できない虞がある。これに対して、透過率の最大値をとる位置近傍に透過率を変化させる点を多数存在させる、つまり、透過率の変化の段階数（以下、これを「階調数」という）を大きくすることで対応できる。
【０００６】
上記考察から階調数が大きいことが望ましいが、単純に階調数を大きくすればよいという訳にはいかない。階調数は、透過率が変化するために必要なスライド量を決定する要素である。階調数を大きくすると、透過率が最大、最小を実現するための総スライド量が大きくなり過ぎてしまう。すると、調光装置が大型化するとともに、装置全体に対する採光面積が小さくなってしまう虞がある。一方、階調数を大きくしつつ、透過率が変化するために必要なスライド量を小さくすると、高精細の露光用マスクが必要になる。
【０００７】
このように偏光板を用いて構成される調光装置において、所望の調光性能を得るには複雑な課題を解決しなければならない。
【０００８】
本開示は、調光装置の大型化または採光面積の縮小を避けつつ、階調タイプの調光装置において所望の調光性能を得る技術を提供する。
【課題を解決するための手段】
【０００９】
（１）上記課題を解決するために、本実施形態によれば、透過率が段階的に変化する調光装置であって、吸収型の第１偏光フィルムと、吸収型の第２偏光フィルムと、第１偏光フィルムと第２偏光フィルムの間に配置され、互いに少なくとも部分的に対面するように構成された第１位相差フィルムおよび第２位相差フィルムと、を有し、第１位相差フィルムは、第１軸に沿って面内遅相軸が段階的に変化する複数の第１調光領域を有し、第２位相差フィルムは、第１調光領域に対応し、かつ、第１軸に沿って面内遅相軸が段階的に変化する複数の第２調光領域を有し、第１位相差フィルムおよび第２位相差フィルムの少なくとも一方は、対面する領域が変化するように可動であり、透過率が最大値（Ｔ１（％））となるときの第１位相差フィルムと第２位相差フィルムとの相対的な位置を第１の位置とし、第１の位置から透過率が漸減し最初に最小値（Ｔ２（％））となるときの第１位相差フィルムと第２位相差フィルムとの相対的な位置を第２の位置とすると、第１の位置と第２の位置の距離が４０ｍｍ以下であり、第１の位置における透過率が２０％以上かつ３５％以下であり、第１の位置と、第１の位置と第２の位置の間に存在し、透過率がＴ１より絶対値で２％小さくなる第３の位置との距離が１ｍｍ以上であり、第１の位置と第３の位置とによって規定される範囲内において透過率が変化する点が３点以上存在する、調光装置が提供される。
【００１０】
（２）また、本実施形態によれば、透過率が段階的に変化する調光装置であって、吸収型の第１偏光フィルムと、吸収型の第２偏光フィルムと、第１偏光フィルムと第２偏光フィルムの間に配置され、互いに少なくとも部分的に対面するように構成された第１位相差フィルムおよび第２位相差フィルムと、を有し、第１位相差フィルムは、第１軸に沿って面内遅相軸が段階的に変化する複数の第１調光領域を有し、第２位相差フィルムは、第１調光領域に対応し、かつ、第１軸に沿って面内遅相軸が段階的に変化する複数の第２調光領域を有し、第１位相差フィルムおよび第２位相差フィルムの少なくとも一方は、対面する領域が変化するように可動であり、透過率が最大値（Ｔ１（％））となるときの第１位相差フィルムと第２位相差フィルムとの相対的な位置を第１の位置とし、第１の位置から透過率が漸減し最初に最小値（Ｔ２（％））となるときの第１位相差フィルムと第２位相差フィルムとの相対的な位置を第２の位置とすると、第１の位置と第２の位置との距離が１ｍｍ以上４０ｍｍ以下であり、第１の位置と第２の位置の間には、１点以上５１２点以下の透過率の変化点が存在し、第１位相差フィルムおよび第２位相差フィルムにおいて、面内遅相軸が０°から１８０°まで変化する際の光軸の分割数である階調数が４の倍数の値に設定されている、調光装置が提供される。
【００１１】
（３）さらに、本実施形態によれば、吸収型の第１偏光フィルムと、第１位相差フィルムとを含む、第１の調光フィルムと、吸収型の第２偏光フィルムと、第２位相差フィルムとを含む、第２の調光フィルムと、を備え、第１位相差フィルムは、第１軸に沿って面内遅相軸が段階的に変化する複数の第１調光領域を有し、第２位相差フィルムは、第１調光領域に対応し、かつ、第１軸に沿って面内遅相軸が段階的に変化する複数の第２調光領域を有し、第１の調光フィルムと第２の調光フィルムとを対向させたときに、透過率が最大値（Ｔ１（％））となるときの第１位相差フィルムと第２位相差フィルムとの相対的な位置を第１の位置とし、第１の位置から透過率が漸減し最初に最小値（Ｔ２（％））となるときの第１位相差フィルムと第２位相差フィルムとの相対的な位置を第２の位置とすると、第１の位置と第２の位置との距離が１ｍｍ以上４０ｍｍ以下であり、第１の位置と第２の位置の間には、１点以上５１２点以下の透過率の変化点が存在し、第１位相差フィルムおよび第２位相差フィルムにおいて、面内遅相軸が０°から１８０°まで変化する際の光軸の分割数である階調数が４の倍数の値に設定されている、調光フィルムセットが提供される。
【００１２】
（４）また、本実施形態によれば、吸収型の第１偏光フィルムと、第１位相差フィルムとを含む、第１の調光フィルムと、吸収型の第２偏光フィルムと、第２位相差フィルムとを含む、第２の調光フィルムと、を備え、第１位相差フィルムは、第１軸に沿って面内遅相軸が段階的に変化する複数の第１調光領域を有し、第２位相差フィルムは、第１調光領域に対応し、かつ、第１軸に沿って面内遅相軸が段階的に変化する複数の第２調光領域を有し、第１の調光フィルムと第２の調光フィルムとを対向させたときに、透過率が最大値（Ｔ１（％））となるときの第１位相差フィルムと第２位相差フィルムとの相対的な位置を第１の位置とし、第１の位置から透過率が漸減し最初に最小値（Ｔ２（％））となるときの第１位相差フィルムと第２位相差フィルムとの相対的な位置を第２の位置とすると、第１の位置と第２の位置の距離が４０ｍｍ以下であり、第１の位置における透過率が２０％以上かつ３５％以下であり、第１の位置と、第１の位置と第２の位置の間に存在し、透過率がＴ１より絶対値で２％小さくなる第３の位置との距離が１ｍｍ以上であり、第１の位置と第３の位置とによって規定される範囲内において透過率が変化する点が３点以上存在する、調光フィルムセットが提供される。
【００１３】
（５）本開示に関連する更なる特徴は、本明細書の記述、添付図面から明らかになる。また、本開示の態様は、要素及び多様な要素の組み合わせ及び以降の詳細な記述と添付される特許請求の範囲の様態により達成され実現される。
本明細書の記述は典型的な例示に過ぎず、本開示の特許請求の範囲又は適用例を如何なる意味においても限定するものではないことを理解する必要がある。
【発明の効果】
【００１４】
本開示によれば、調光装置の大型化および採光面積の縮小を避けつつ、階調タイプの調光装置において所望の調光性能を得ることができるようになる。
【図面の簡単な説明】
【００１５】
【図１】本開示の実施形態による調光装置１の全体構成を示す図である。図１Ａは、光を透過した状態を示している。図１Ｂは、光を遮断した状態を示している。図１Ｃは、調光装置１を構成する調光基板１１を模式的に示している。図１Ｄは、筐体１０内における調光基板１１の配置状態を示している。
【図２】本開示の実施形態による調光装置１に収容されている第１の調光基板１１−１及び第２の調光基板１１−２の概略断面を示す図である。
【図３】図２の詳細断面を示す図である。
【図４】階調タイプの調光基板１１の構成例を示す概略断面図である。
【図５】階調タイプの調光装置１における光透過率（調光状態）の変化を説明するための図である。
【図６】取っ手部１２を設けた調光基板１１の構成例を示す図である。
【図７】筺体１０の案内レールに第１の調光基板１１−１（可動）及び第２の調光基板１１−２（固定）を収容する様子を示す図である。
【図８】図７に示す調光装置１のＡ−Ａ断面であって、第１の調光基板１１−１と第２の調光基板１１−２との間にギャップ構成手段を設けた例を示す図である。
【図９】凹部（ざくり）１７０を設けた第１の調光基板１１−１（可動）の構成を説明するための図である。
【図１０】ストライプ幅と階調数から求められるスライド量を示す図である。
【図１１】可視光透過率の官能評価結果を示す図である。
【図１２】図１１で示される官能評価の結果を一般化して明状態および暗状態と判断できる範囲を示す図である。
【図１３】本実施形態による、ストライプ幅と階調数との各組み合わせにおいて、透過率が最大値から絶対値で２％減となる位置（第３の位置）同士の距離（Ｐ２とＰ３の距離：透過率の最大値から２％以内に収まるスライド量）を示す図である。
【図１４】本実施形態による、ストライプ幅と階調数との各組み合わせにおいて、官能評価によってストライプ間の境界が目立たないと判断できる組み合わせを示す図である。
【図１５】本実施形態における、図１４の結果に対して追加のファクタを適用して得られた、調光装置に採用する場合に良好なストライプ幅と階調数との組み合わせを示す図である。
【発明を実施するための形態】
【００１６】
以下、添付図面を参照して本開示の実施形態について説明する。添付図面では、機能的に同じ要素は同じ番号で表示される場合もある。なお、添付図面は本開示の原理に則った具体的な実施形態と実装例を示しているが、これらは本開示の理解のためのものであり、決して本開示を限定的に解釈するために用いられるものではない。
【００１７】
また、本明細書等において用いる、形状や幾何学的条件並びにそれらの程度を特定する、例えば、「平行」、「直交」、「垂直」、「同一」等の用語や長さや角度の値等については、厳密な意味に縛られることなく、同様の機能を期待し得る程度の範囲を含めて解釈されるべきである。
【００１８】
本明細書等において「〜」を用いて表される数値範囲は、「〜」の前後に記載される数値のそれぞれを下限値及び上限値として含む範囲であることを意味する。また、本明細書等において用いられる「フィルム」という文言は、「層」を包含する概念であり、例えば、「位相差フィルム」は「位相差層」をも含む意味であると解釈される。従って、本実施形態による調光装置としては、基板に各層（例えば、偏光層および位相差層）を積層した構成だけでなく、基板と各フィルム（例えば、偏光フィルムおよび位相差フィルム）とが離間して配置した構成を採ることもできる。
【００１９】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００２０】
本発明者らは、階調タイプの調光装置において、所望の調光性能を得るために必要な条件について様々な観点から検証を重ねた。その結果、相対的に移動する調光基板において、そのスライド量、階調数（パターン位相差層の液晶の光軸が０°から１８０°まで変化する際の面内遅相軸（光軸）の分割数）、ストライプ幅（面内遅相軸が同じ領域の幅）を所定の範囲内に設定することが重要であることが判明した。以下、実施形態を通じて、階調タイプの調光装置において、所望の調光性能を得るために必要な条件について詳細に説明する。
【００２１】
＜調光装置の全体構成＞
図１は、本開示の実施形態による調光装置１の全体構成を示す図である。図１Ａは、光を透過した状態（明状態：光の透過率が最大）を示している。図１Ｂは、光を遮断した状態（暗状態：光の透過率が最小）を示している。図１Ｃは、調光装置１を構成する調光基板１１を模式的に示した図である。図１Ｄは、筐体１０内における調光基板１１の配置状態を示している。
【００２２】
調光装置１は、例えば、筺体（「フレーム」とも言うことができる）１０と、筺体１０に収容された複数の調光基板１１と、取っ手部１２と、を備えている。取っ手部１２は必要に応じて設けられる構成であり、必須ではない。本実施形態では、例えば、２枚の調光基板１１のうち、少なくとも１枚の調光基板１１がスライド移動できるように筐体１０内に収められている。以下では、第１の側に配置された一方の調光基板を第１の調光基板１１−１、第１の側に対向する第２の側に配置されたもう一方の調光基板を第２の調光基板１１−２とする。本実施形態では、例えば、第１の調光基板１１−１をスライド移動可能（可動）とし、第２の調光基板１１−２を固定としている。なお、「可動」あるいは「スライド移動可能」か否かは、相対的な概念であり、第２の調光基板１１−２が全く動かないようにするという意味ではなく、水平方向（Ｘ方向）および垂直方向（Ｙ方向）のそれぞれに適度な遊びを持たせてもよい。つまり、「可動」あるいは「スライド移動可能」とは、調光基板が調光機能を発揮する程度の可動範囲を有していることを意味する。
【００２３】
取っ手部１２を設けた場合、図１Ａ及びＢで示されるように、取っ手部１２は、調光装置１の開口部１０ａ（窓部ともいう）に位置する２枚の調光基板１１のうち、スライド移動可能な第１の調光基板１１−１の第１の側に配置される。取っ手部１２は、例えば、第１の調光基板１１−１の表面に取り付けられている。例えば、開口部が明状態（光透過状態）のときは、取っ手部１２は、筐体１０の内枠右端部１０１に接している（図１Ａ参照）。一方、開口部１０ａが暗状態（遮光状態）のときは、取っ手部１２は、筐体１０の内枠右端部１０１から離れた位置となっている（図１Ｂ参照）。本実施形態による調光装置では、第１の調光基板をスライド移動させると、開口部の明るさ（光の透過率）が段階的に明状態から暗状態まで変化するように構成されている。従って、本実施形態のような調光装置を、階調タイプの調光装置と称することも可能である。なお、取っ手部１２の位置と開口部１０ａの明暗との関係は、図１Ａ及びＢで示される場合と逆であっても良いし、これらに限らない。なお、明状態（光透過状態）とは光の透過率が最大の状態を指し、一方、暗状態（遮光状態）とは光の透過率が最小の状態を指す。
【００２４】
図１Ｃを参照すると、本実施形態では、第１の調光基板１１−１及び第２の調光基板１１−２は、互いに少なくとも部分的に対面しており、例えば、互いに平行に配置されている。調光装置１では、少なくとも１枚の調光基板１１が所定の移動方向（例えば、図におけるＸ方向）に移動することにより、第１の調光基板１１−１及び第２の調光基板１１−２の両方を透過する光の透過率が、第１の調光基板１１−１及び第２の調光基板１１−２の相対位置に応じて変化する。これにより、調光装置１は、透過光の光量を調整し、遮光と透過の切り替えができるように構成されている。なお、遮光と透過が切り替えられる領域は第１の調光基板１１−１及び第２の調光基板１１−２の全領域でなくても良く、一部の領域であっても良い。つまり、少なくとも１枚の調光基板１１が所定の移動方向（例えば、図におけるＸ方向）に移動することにより、調光基板１１の全面の調光状態が変化する必要は必ずしもなく、一部の領域の調光状態が変化するように構成することも可能である。
【００２５】
図１Ｃや図１Ｄを参照すると、第１の調光基板１１−１の大きさと第２の調光基板１１−２の大きさとは異なっている。例えば、第２の調光基板１１−２を「固定」とする場合、スライド移動可能な第１の調光基板１１−１は、第２の調光基板１１−２よりもスライド移動方向（Ｘ方向）の長さが短く構成されている。つまり、スライド移動可能な第１の調光基板１１−１は、短い長さの分だけ筐体１０内をスライド移動できるようになっている。これにより、調光装置の大型化を抑えつつ、開口部の面積を大きくとることができる。本実施形態では、２枚の調光基板１１−１及び１１−２を筐体１０内に収容しているが、３枚以上の調光基板を筐体１０内に収容するようにしても良い。
【００２６】
また、図１Ｄに示されるように、各調光基板１１−１及び１１−２の上端部及び／又は下端部の少なくとも一部には、各調光基板１１−１及び１１−２のすべりを向上させたり、或いは低下させたりするためのテープ２０が貼り付けられている。当該テープ２０は、例えば、アルミ箔やフッ素系樹脂等、摩擦が少ないもので構成されている。このため、テープ２０を各調光基板１１−１及び１１−２に貼り付けた場合、第１の調光基板１１−１のスライド移動が非常にスムーズとなる。各調光基板１１−１及び１１−２のすべりを低下させるテープとしては、ウレタンゴム等で構成された摩擦が大きいテープが用いられる。このため、テープ２０を各調光基板１１−１及び１１−２に貼り付けた場合、第１の調光基板１１−１が軽量であってもスライド移動の応答性を制御できる。また、テープ２０を各調光基板１１−１及び１１−２に貼り付けると、第１の調光基板１１−１と第２の調光基板１１−２との間にわずかなギャップを形成することが可能となる。従って、第１の調光基板１１−１をスライド移動させたときに各調光基板１１−１及び１１−２が擦れることによってキズが各調光基板１１−１及び１１−２の開口部に形成されるのを防止することができる。
【００２７】
＜調光基板の断面構成＞
図２は、本開示の実施形態による調光装置１に収容されている第１の調光基板１１−１及び第２の調光基板１１−２の概略断面を示す図である。
【００２８】
第１の調光基板１１−１と第２の調光基板１１−２とは、互いに密着していてもよいが、間隔Ｄを開けて筐体１０内に配置されていてもよい。当該間隔Ｄは、上述のように、テープ２０によって形成されるものであっても良いし、スペーサなどによって形成されるものであっても良い。間隔Ｄの値は、例えば、０．２ｍｍ以上２．０ｍｍ以下としてもよい。間隔Ｄが上記下限未満であると調光基板同士が擦れて傷が発生するおそれがあり、間隔Ｄが上記上限より大きいと調光装置１を斜視したときに光の透過率の違い（明るさの違い）を感じやすくなる虞がある。また、第１の調光基板１１−１は、第１軸方向Ｘに沿って光学特性がそれぞれ段階的に変化する複数の第１調光領域１１１を含んでいる。また、第２の調光基板１１−２は、第１軸方向Ｘに沿って光学特性がそれぞれ段階的に変化する複数の第２調光領域１１２を含んでいる。第１調光領域１１１及び第２調光領域１１２は共に、一例として、同じ幅を有している。ここで、光学特性が段階的に変化するとは、例えば、光学軸（光軸とも呼ばれる）、位相差、複屈折率の中の少なくとも１つが段階的（漸次的）に変化することを意味する。図面では、第１の調光基板１１−１及び第２の調光基板１１−２の相対移動する方向と、第１の調光基板１１−１及び第２の調光基板１１−２の光学特性が変化する方向とが一致して図示されているが、これに限定されず、互いに交差していてもよい。例えば、第１の調光基板１１−１及び第２の調光基板１１−２の相対移動する方向と、第１の調光基板１１−１及び第２の調光基板１１−２の光学特性が変化する方向とのなす角が、５°、１０°、１５°、２０°、２５°、３０°、３５°、４０°、４５°等の値を取ってもよい。つまり、第１の調光基板１１−１及び第２の調光基板１１−２の光学特性が第１軸方向と異なる第２軸方向に沿って変化してもよい。なお、第１調光領域１１１及び第２調光領域１１２は、１つの領域分の幅で調光基板１１の１ピッチを構成しているものとする。つまり、第１調光領域１１１及び第２調光領域１１２のそれぞれの幅がピッチＷに相当する（図３参照）。
【００２９】
図３は、図２の詳細断面を示す図である。第１の調光基板１１−１は、第１調光フィルム３０と、第１基板３１と、を有する。第１調光フィルム３０は、第１偏光層（以下、「第１偏光フィルム」と言い換えることもできる）３２と、第１位相差層（以下、「第１位相差フィルム」と言い換えることもできる）３３と、を備える。具体的には、第１基板３１上に、第１偏光層３２及び第１位相差層３３が当該順で積層されている。第２の調光基板１１−２は、第２基板４１と、第２偏光層（以下、「第２偏光フィルム」と言い換えることもできる）４２と、第２位相差層（以下、「第２位相差フィルム」と言い換えることもできる）４３と、を備える。具体的には、第２基板４１上に、第２偏光層４２及び第２位相差層４３が当該順で積層されている。第１の調光基板１１−１及び第２の調光基板１１−２は、第１位相差層３３と第２位相差層４３とが対面するように、調光装置１に収容される。
【００３０】
第１基板３１は、第１偏光層３２及び第１位相差層３３を含む第１調光フィルム３０を支持するための支持体である。第１基板３１の構成材料としては、第１偏光層３２及び第１位相差層３３を支持することができ、高い光透過性を有するものであれば特に限定されない。例えば、第１基板３１の構成材料としては、ガラス等の無機材料、ポリエチレンテレフタレート等のポリエステル系樹脂、アクリル系樹脂、ポリカーボネート樹脂、エポキシ樹脂、シリコン樹脂等の樹脂材料等が挙げられる。なお、第２基板４１は、第１基板３１と同一の構成を採用することが可能である。
【００３１】
第１偏光層３２及び第２偏光層４２として、吸収型や反射型の偏光層を用いることができる。例えば、ポリビニルアルコールにヨウ素や二色性色素を吸着させてなる偏光層やワイヤーグリッド偏光子と称される偏光層を用いることができる。暗状態におけるプライバシー性を確保するために、第１偏光層３２、第２偏光層４２の偏光度は９０％以下としてもよく、９５％以下としてもよく、９９％以下としてもよく、さらに９９．９％以下としてもよい。
【００３２】
なお、第１位相差層３３及び第２位相差層４３は、例えば、光配向法やラビング法により形成された配向層上に液晶層を配向させることにより、作製することができる。例えば国際公開第２０１３／０５４６７３号パンフレット、特開２０１２−１３７７２５号公報、または特開２０１２−１９８５２２号公報等に開示された製法を用いて作製され得るため、ここではこれ以上詳細な説明を省略する。
【００３３】
＜階調タイプの調光基板の構成及び機能＞
図４は、階調タイプの調光基板１１の構成例を示す概略断面図である。なお、図４では、第１の調光基板１１−１に対応する構成が示されている。なお、本明細書等では、階調タイプの調光装置とは、光の透過率が異なる状態を多階調で作り出すことが可能な調光装置をさす。
【００３４】
図４に示されるように、階調タイプの調光基板１１は、第１基板３１上に、第１偏光層３２及び第１位相差層６１が当該順で積層されて構成されている。階調タイプの調光基板１１では、第１位相差層６１による位相差はλ／２であり、第１位相差層６１としてλ／２板を用いる。そして、各第１調光領域１１１の第１位相差層６１では、面内遅相軸方向が第１軸方向Ｘに沿って段階的に０°〜１８０°まで変化しており、透過光に生じさせる位相変調量を変化量させている。また、第２調光領域１１２も同様な構成を備えている。
【００３５】
上述のように、調光装置１では、第１の調光基板１１−１と第２の調光基板１１−２との相対位置に応じて、第１調光領域１１１と第２調光領域１１２との重なる位置が変化する。これにより、調光装置１に入射してきた光の透過率を徐々に変化させることが可能となる。つまり、当該調光タイプの調光装置１では、第１の調光基板１１−１と第２の調光基板１１−２の相対位置に応じて、徐々に遮光状態になる（光の透過率が徐々に小さくなる）、又は、徐々に透過状態になる（光の透過率が徐々に大きくなる）。
【００３６】
図５は、階調タイプの調光装置１における光透過率（調光状態）の変化を説明するための図である。階調タイプの調光装置１では、第２の調光基板１１−２を固定して第１の調光基板１１−１をＸ方向にスライド移動させると、光の透過率が変化する。図５Ａは、光の透過率が最小で、最も暗い状態のときの第１の調光基板１１−１及び第２の調光基板１１−２の位置関係を示している。図５Ｃは、光の透過率が最大で、最も明るい状態のときの第１の調光基板１１−１及び第２の調光基板１１−２の位置関係を示している。図５Ｂは、光の透過率が中間のときの第１の調光基板１１−１及び第２の調光基板１１−２の位置関係を示している。なお、図５では、単純化のため偏光層と位相差層のみ示されている。また、各位相差層における遅相軸は、０°〜１８０°のうち一部のみ示されている。ここでは単位遅相軸を２２．５°としているが、これに限られず、任意に設定することが可能である。
【００３７】
（i）光の透過率が最小の状態
例えば、図５Ａに示すように、第２位相差層７１の遅相軸０°、２２．５°、４５°、・・・の領域がそれぞれ、第１位相差層６１の遅相軸９０°、１１２．５°、１３５°、・・・の領域と対向している状態では、光の透過率が最小であり遮蔽状態、すなわち暗状態となる。
【００３８】
第２の調光基板１１−２の第２偏光層４２を透過した偏光成分の光の振動方向は、第２位相差層７１の各領域を透過することによって、それぞれ０°、４５°、９０°・・・と回転する。そして、振動方向が０°の光が第１位相差層６１の遅相軸９０°の領域を通過すると、入射光の偏光軸と遅相軸のなす角度の２倍分、偏光角が回転し、その偏光角は入射光と遅相軸のなす角度の２倍分、つまり１８０°回転し、振動方向は１８０°となる。また、振動方向が４５°の光が第１位相差層６１の遅相軸１１２．５°の領域を通過すると、入射偏光角と遅相軸の関係より１３５°回転し、その振動方向は１８０°となる。さらに、振動方向が９０°の光が第１位相差層６１の遅相軸１３５°の領域を通過すると、入射偏光角と遅相軸の関係より９０°回転し、その振動方向も１８０°と変化する。このように、第１位相差層６１を透過した光の偏光方向は全て０°或いは１８０°となるため、第１偏光層３２の偏光方向と直交し、第１位相差層６１を透過した光は、第１偏光層３２によって遮断される。調光装置１は、偏向度の高い偏光板が用いられ、例えば、暗状態における透過率は０．３％以下であり、好ましくは０．０１％以上０．３％以下である。
【００３９】
このように、図５Ａに示された第１の調光基板１１−１と第２の調光基板１１−２との位置関係においては、第２の調光基板１１−２に入射する光は、第１の調光基板１１−１を透過せず、遮蔽状態となる。
【００４０】
（ii）光の透過率が中間値の状態
図５Ｂに示すように、例えば、第２位相差層７１の遅相軸０°、２２．５°、４５°、・・・の領域がそれぞれ、第１位相差層６１の遅相軸６７．５°、９０°、１１２．５°、・・・の領域と対向している状態では、光の透過率が中間値を取る。
【００４１】
第２の調光基板１１−２の第２偏光層４２を透過した偏光成分の光の振動方向は、第２位相差層７１の各領域を透過することによって、それぞれ０°、４５°、９０°・・・と回転する。そして、振動方向が０°の光が第１位相差層６１の遅相軸６７．５°の領域を通過すると、入射偏光角と遅相軸の関係より１３５°回転し、その振動方向は１３５°となる。また、振動方向が４５°の光が第１位相差層６１の遅相軸９０°の領域を通過すると、入射偏光角と遅相軸の関係より９０°回転し、その振動方向は１３５°となる。さらに、振動方向が９０°の光が第１位相差層６１の遅相軸１１２．５°の領域を通過すると、入射偏光角と遅相軸の関係より４５°回転し、その振動方向も１３５°となる。このように、第１位相差層６１を透過した光の偏光方向は全て１３５°となるため、第１位相差層６１を透過した光のうち第１偏光層３２の偏光方向と同じ成分の光のみが第１偏光層３２を透過することとなる。
【００４２】
このように、図５Ｂに示された第１の調光基板１１−１と第２の調光基板１１−２との位置関係においては、第２の調光基板１１−２に入射し、第２偏光層４２を透過した光の一部のみが第１の調光基板１１−１を透過し、透過状態すなわち明状態と、遮蔽状態すなわち暗状態との中間の中間状態となる。
【００４３】
（iii）光の透過率が最大の状態
図５Ｃに示されるように、例えば、第２位相差層７１の遅相軸０°、２２．５°、４５°、６７．５°、９０°・・・の領域がそれぞれ、第１位相差層６１の遅相軸４５°、６７．５°、９０°、１１２．５°、１３５°、・・・の領域と対向している状態では、光の透過率が最大で透過状態、すなわち明状態となる。
【００４４】
第２の調光基板１１−２の第２偏光層４２を透過した偏光成分の光の振動方向は、第２位相差層７１の各領域を透過することによって、それぞれ０°、４５°、９０°、１３５°、１８０°、・・・と回転する。そして、振動方向が０°の光が第１位相差層６１の遅相軸４５°の領域を通過すると、入射偏光角と遅相軸の関係より９０°回転し、その振動方向は９０°となる。振動方向が４５°の光が第１位相差層６１の遅相軸６７．５°の領域を通過すると、入射偏光角と遅相軸の関係より４５°回転し、その振動方向も９０°となる。振動方向が９０°の光が第１位相差層６１の遅相軸９０°の領域を通過すると、入射偏光角と遅相軸の関係より０°回転し、その振動方向も９０°となる。さらに、振動方向が１３５°の光が第１位相差層６１の遅相軸１１２．５°の領域を通過すると、入射偏光角と遅相軸の関係より−４５°回転し、その振動方向も９０°となる。振動方向が１８０°の光が第１位相差層６１の遅相軸１３５°の領域を通過すると、入射偏光角と遅相軸の関係より−９０°回転し、その振動方向は９０°となる。
【００４５】
このように、第１位相差層６１を透過した光の偏光方向は全て９０°或いは２７０°となるため、第１偏光層３２の偏光方向と同一となり、第１位相差層６１を透過した光は、第１偏光層３２をそのまま透過することになる。
【００４６】
このように、図５Ｃに示された第１の調光基板１１−１と第２の調光基板１１−２との位置関係においては、第２の調光基板１１−２に入射し、第２偏光層４２を透過した光は、全て第１の調光基板１１−１を透過し、透過状態となる。調光装置１は、偏向度の高い偏光板を用いるため、明状態における透過率は、２０％以上かつ３５％以下となる。
【００４７】
＜取っ手部を設けた調光基板＞
図６は、取っ手部を設けた調光基板１１の構成例を示す図である。取っ手部１２を調光基板１１に設ける第１の形態として、図６Ａに示されるように、取っ手部１２を調光基板１１の窓面（調光面ともいう）に設けることができる。また、第２の形態として、図６Ｂに示されるように、サッシ枠が取り付けられた調光基板１１において、取っ手部１２を調光面外であるサッシ枠に設けることができる。取っ手部１２の側面は、所定の移動方向に非平行な傾斜面部１２ａ、１２ｂを有している。図６Ａ又は図６Ｂに示される取っ手部１２の側面は、所定の移動方向に直交している。図６Ａ又は図６Ｂに示される調光基板１１を第１の調光基板１１−１（可動）とし、図６Ａ又は図６Ｂに示される調光基板１１と同様の構成を有するが取っ手部１２が設けられていない調光基板を第２の調光基板１１−２（固定）として、これら２つの調光基板を筐体１０に収容することにより、図１に示す調光装置１が完成する。なお、取っ手部１２は、調光精度を出すために、調光基板を筐体１０に収容した後に取り付けても良い。また、取っ手部１２は、第１の調光基板１１−１（可動）と第２の調光基板１１−２（固定）の調光領域（位相差パターン）の境界を一致させた状態から少なくともＷ／４分の距離だけ第１の調光基板１１−１（可動）をスライド移動できるように、取り付けることが好ましい。
【００４８】
取っ手部１２は金属、ガラス、或いは樹脂を所望の形状に加工することにより作製される。そして、作製された取っ手部１２を調光基板１１の窓面（調光面）或いはサッシ枠の表面に貼り付けることにより、図６に示される調光基板１１が完成する。
【００４９】
図６Ａに示されるように、取っ手部１２を調光基板１１の調光面に取り付ける場合、テープや接着剤等の接着層１２ｃによって取っ手部１２を調光基板１１の調光面に貼合して固定する。透明なガラスや樹脂で取っ手部１２を作製する場合、例えば、透明な接着層１２ｃを介して取っ手部１２を調光基板１１の調光面に貼合するのが好ましい。取っ手部１２及び接着層１２ｃが透明であるため、筐体の開口部に位置する調光基板１１の調光機能を妨げる程度が低いからである。なお、取っ手部１２は、テープや接着剤により後付けするようにしても良いが、調光基板１１の一部として一体成形で構成しても良い。
【００５０】
図６Ｂに示されるように、取っ手部１２を調光基板１１のサッシ枠に取り付ける場合、必ずしも透明材料で取っ手部１２を構成する必要はなく、木、プラスチック、金属等の透明ではない材料を用いたとしても調光基板１１の調光面における調光機能を妨げることはない。ただし、取っ手部１２をサッシ枠に取り付ける場合には調光基板１１の調光面の面積は、調光基板１１の大きさが同一であるという条件下では、調光基板１１の調光面に直接取っ手部１２を設けたときの調光面の面積よりも小さい。取っ手部１２をサッシ枠に取り付ける場合、接着剤やテープを用いても良いし、ネジ止めしても良い。なお、取っ手部１２は、テープや接着剤によりサッシ枠に後付けするようにしても良いが、調光基板１１のサッシ枠の一部として一体成形で構成しても良い。また、取っ手部１２のサイズは、指等の引っ掛け易さ、取っ手部１２の取り付け強度、及び安全性を考慮すると、例えば、調光装置１の窓面の縦の長さの１０％〜５０％程度の長さであることが好ましい。
【００５１】
取っ手部１２を形成する材料としては、例えば、ガラス、アクリル系樹脂、ポリカーボネート樹脂、金属、木、プラスチック、ゴムなどを採用することができる。ただし、光の透過率を高くすることを重視する場合には、ガラス、アクリル系樹脂を用いることが好ましい。この場合、調光装置１の調光機能を高めるため、例えば、取っ手部１２はそのものの透過率を８０％以上とすることが好ましい。また、取っ手部１２を含む調光基板の透過率を、２０％以上とすることが好ましい。このような構成にすることにより、明状態における外観美が維持される。耐熱性が要求される場所に調光装置１を設置する場合に、樹脂製の取っ手部１２を用いる場合には、材料としてアクリル系樹脂やポリカーボネート樹脂を採用することができる。
【００５２】
さらに、取っ手部１２に蓄光機能を持たせたい場合には、蓄光材料を取っ手部１２に塗布したり、取っ手部１２を形成する際に取っ手部１２の材料に蓄光材料を混ぜたりすればよい。蓄光材料としては、例えば、硫化亜鉛、アルミン酸ストロンチウム等を用いることができる。取っ手部１２が蓄光機能を持つことにより、暗い環境においても取っ手部１２の位置をユーザが容易に認識することができる。
【００５３】
以上のように、少なくとも第１の調光基板１１−１（可動）の窓面に取っ手部１２を設けることにより、ユーザは窓面に直接手を触れる必要性がなくなり、窓面が汚れることを防止することが可能となる。また、取っ手部１２が設けられていない場合には、窓面を指で押圧しながら第１の調光基板１１−１（可動）をスライドさせることになるが、この場合、第１の調光基板１１−１（可動）と第２の調光基板１１−２（固定）とが接触して擦れることにより調光基板面にキズが形成される可能性がある。しかし、取っ手部１２を設けることにより、このような危険性を回避することができる。
【００５４】
さらに、窓面を指で直接触れて第１の調光基板１１−１をスライドさせる場合、第１の調光基板１１−１（可動）と第２の調光基板１１−２（固定）のそれぞれに形成された調光領域のピッチを精度よく合わせることは非常に困難である。しかし、第１の調光基板１１−１（可動）が調光領域のＷ／４分だけスライド移動できるように取っ手部１２を第１の調光基板１１−１（可動）の窓面に設けているので、調光領域の位置を精度よく合わせることができ、良好な調光機能を提供することできるようになる。
【００５５】
＜調光基板の筐体への収容について＞
図７は、筺体１０の案内レールに第１の調光基板１１−１（可動）及び第２の調光基板１１−２（固定）を収容する様子を示す図である。
【００５６】
調光装置１の筐体１０は、第１の調光基板１１−１（可動）及び第２の調光基板１１−２（固定）を保持し、これらをＸ方向に沿った移動を可能にする案内レール１５０を備えている。図７は、筺体１０の下枠における案内レールのみを示しているが、筺体１０の上枠、左枠、右枠等にも略同様の案内レールが設けられていることに留意すべきである。
【００５７】
案内レール１５０は、断面Ｕ字状である。第１の調光基板１１−１及び第２の調光基板１１−２の移動手段としては、公知の移動手段を採用することができる。例えば、第１の調光基板１１−１及び第２の調光基板１１−２が案内レール１５０に直接接触しながらスライドする構成でもよい。また、図６Ｂに示されるように、第１の調光基板１１−１（可動）及び第２の調光基板１１−２（固定）がサッシ構造を有する場合、そのサッシ枠にスライド動作によって適宜回転するローラを設け、当該ローラが案内レール１５０上を滑走するような構成でもよい。
【００５８】
本実施形態では、少なくとも第１の調光基板１１−１（可動）がスライド移動可能となっているため、第１の調光基板１１−１（可動）及び第２の調光基板１１−２（固定）の表面がスライド移動によって擦れてキズが付かないように、それぞれの間に所定の間隔があることが望ましい。そこで、本開示では、第１の調光基板１１−１と第２の調光基板１１−２との間にギャップ構成手段を設けている。図８は、図７に示す調光装置１のＡ−Ａ断面であって、第１の調光基板１１−１と第２の調光基板１１−２との間にギャップ構成手段の例を示す図である。
【００５９】
図８Ａは、当該ギャップ構成手段を、図１Ｄにも示したように、テープ２０で構成した場合の例を示している。図８Ａの例では、第１の調光基板１１−１及び第２の調光基板１１−２の上下端部に、両基板のすべりを良くするためのテープ２０が貼られている。テープ２０は、所定の厚さを有するため、第１の調光基板１１−１と第２の調光基板１１−２との間のスペーサとしても機能する。
【００６０】
図８Ｂは、当該ギャップ構成手段を、スペーサ１６０で構成した場合の例を示している。図８Ｂの例では、当該スペーサ１６０は、第１の調光基板１１−１に取り付けられているが、第２の調光基板１１−２に取り付けても良い。スペーサ１６０は、例えば、板状の部材を用いることができる。また、スペーサ１６０は、その板状の部材の長手方向がＸ方向に沿うように配置されてもよい。さらに、スペーサ１６０は、複数の部材で構成されてもよく、例えば、複数のスペーサが、所定の間隔でＸ方向に沿って配置されてもよい。また、スペーサ１６０の表面は摩擦性が小さい材料で構成されるのが好ましい。このため、スペーサ１６０の表面にテープ２０を貼付しても良い。
【００６１】
＜凹部（ざくり）を設けた調光基板の構成＞
取っ手部１２の代わりに、第１の調光基板１１−１（可動）に凹部（ざくり）を設けてスライド移動可能にしてもよい。
【００６２】
図９は、凹部（ざくり）を設けた第１の調光基板１１−１（可動）の構成を説明するための図である。図９Ａは凹部（ざくり）を備える第１の調光基板１１−１（可動）の外観構成を示し、図９Ｂは図９ＡのＢ−Ｂ断面を示す図である。図９Ｃは、サッシ枠を有する第１の調光基板１１−１（可動）のＢ−Ｂ断面を示す図である。以上のように、凹部１７０は調光基板１１の調光に貢献する領域、及びそれ以外の領域の何れに設けられていてもよい。なお、第１の調光基板１１−１（可動）と第２の調光基板１１−２（固定）の内部構造や、第１の調光基板１１−１（可動）と第２の調光基板１１−２（固定）の位置関係によって調光状態が変化するのは上述と同様であり、ここではそれらの説明については省略する。
【００６３】
凹部１７０の側面は、所定の移動方向に平行な線分と非平行な傾斜面部１７０ａ、１７０ｂを有する。図９Ｂでは凹部１７０が第１の調光基板１１−１（可動）にある形態が開示されている。凹部１７０は、例えば、第１の調光基板１１−１（可動）をざくり加工して形成したり、凹部１７０を有する第１の調光基板１１−１（可動）を一体成形したりすることにより形成することができる。図９Ｂでは凹部１７０が第１の調光基板１１−１（可動）外にある形態が開示されている。凹部１７０は、例えば、サッシ枠をざくり加工して形成することができる。また、凹部１７０は、調光装置１の窓面であればどこでも形成することが可能であるが、ユーザの使い勝手を考慮すると、調光装置１の窓面の上下左右端部の何れかの箇所であって、第１の調光基板１１−１（可動）を調光装置１の筐体１０に収容したときに内枠近傍に位置するように形成することが望ましい。
【００６４】
凹部１７０の深さは、特に制限はなく、凹部１７０が第１の調光基板１１−１（可動）を厚み方向に貫通するように設けられていてもよい。スライド方向に沿う凹部１７０の幅は、特に制限はないが、例えば、５ｍｍ以上５０ｍｍ以下とするとよい。凹部１７０の幅を５ｍｍ以上にすると、ユーザの指等が凹部１７０の側面に接触しやすくなりスライドをさせやすくなる。凹部１７０の幅を５０ｍｍ以下とすると凹部１７０により、凹部１７０が調光面にある場合に調光装置１の美観が低下してしまうのを抑制でき、また、凹部１７０が調光面外にある場合にサッシ枠の領域の大型化を回避できるからである。なお、凹部１７０の平面視形状は、矩形に限定されることはなく、例えば、多角形、円形等の任意の形状を採用することができる。
【００６５】
以上のように、調光装置１の窓面に凹部１７０を設けることにより、ユーザはその凹部１７０に指を引っ掛けて第１の調光基板１１−１（可動）をスライド移動させることができる。よって、ユーザは窓面の凹部１７０以外の他の部分に直接手を触れる必要性がなくなり、窓面が汚れることを防止することが可能となる。また、凹部１７０が設けられていない場合には、窓面を指で押圧しながら第１の調光基板１１−１をスライドさせることになるが、この場合、第１の調光基板１１−１（可動）と第２の調光基板１１−２（固定）とが擦れることにより調光基板面にキズが形成される可能性がある。しかし、凹部１７０を窓面の端部付近に設けることにより、このような危険性を回避することができる。
【００６６】
＜調光装置における階調数、ストライプ幅、およびスライド量の関係について＞
（i）階調タイプの調光装置１は、例えば、スライド量が０のとき明状態（例：可視光透過率が最大）または暗状態（例：可視光透過率が最小）で、所定量をスライドさせると最初の暗状態（可視光透過率が最小）または明状態（可視光透過率が最大）の切替えが現れるときにスライド規制がかかるように構成することができる。このような構成によれば、スライド量を小さくして装置の大型化や採光面の縮小化を避けることができる。しかし、各調光フィルムと各基板との貼り合わせの精度を合わせることは非常に困難であり、スライド誤差が生じる場合もある。このため、単にスライド量を規定するだけでスライド量が０で明状態あるいは暗状態、スライド量が所定量で暗状態あるいは明状態とすることが困難な場合もある。また、明状態から暗状態への遷移、あるいは暗状態から明状態への遷移が段階的に、しかも目視で自然になるようにすることが望ましい。さらに、調光装置１のフレーム幅をなるべく小さくし、調光装置１の大型化を避けつつ、開口部の面積（採光面積）も相対的に大きくしたいというニーズに応える必要性もあるため、単純にスライド量を大きくすればよいというものでもない。このような事情を考えると、階調タイプの調光装置１において、調光基板１１−１、１１−２の適切な階調数、ストライプ幅、およびスライド量を決定するのは容易ではない。
【００６７】
そこで、本実施形態による階調タイプの調光装置１を実現するに当たり、本発明者らは、調光装置１において、階調数と、第1および第２位相差層の面内遅相軸（以後、単に遅相軸と呼ぶことがある）の設定される各領域の幅（以後、ストライプ幅という）と、スライド量との関係の検証を慎重に積み重ね、それらの適切な値を導出した。なお、ここで階調数とは、各位相差層（パターン位相差フィルム）の液晶の光軸（遅相軸）が０°から１８０°まで変化する際の光軸の分割数をいい、ストライプ幅とは、光軸（遅相軸）が分割された各領域の幅をいうものとする。
【００６８】
（ii）当該検証をするに当り、本発明者らは、透明基板としてガラス基板（例えば、厚さ：３ｍｍに、耐侯剤を含む多層構造の粘着層を介して吸収型の偏光板（サンリッツ社製HLC2-2318RE）を貼り合せ、さらに偏光板上に粘着層を介して位相差フィルムを貼り合せることにより、調光板を作製した。検証に用いた位相差フィルムは、ＴＡＣフィルム上に配向層を形成し、各種階調数をもつ偏光露光用マスクを用いて露光し、その後、液晶層を形成することにより得た。用いた偏光板の偏光度は、９９．９％であった。偏光板が互いにクロスニコルの関係である点を除いて略等価な調光板を２つ用意し、各々を第１の調光基板１１−１、第２の調光基板１１−２とした。
【００６９】
（iii）複数の調光板を観察したところ、ガラス基板の外形加工、ガラス基板への位相差フィルムの貼り合せ加工の精度により、位相差フィルムの位置が設計値に対して最大１ｍｍ程度のずれが生じることが分かった。従って、スライド量の下限は１ｍｍより大きい値にすべきであることが分かった。
そして、第１の調光基板１１−１と第２の調光基板１１−２との間にスペーサとして約０．８ｍｍ厚のテープを配置した。そして、第２の調光基板１１−２を固定し、第１の調光基板１１−１をスライド可能にして調光装置１を作製した。
第２の調光基板１１−２に対して第１の調光基板１１−１をスライドさせながら可視光透過率を位相差フィルム・光学材料検査装置（大塚電子株式会社製  ＲＥＴＳ−１００）を用いて測定したところ、可視光透過率の最大値が２６．９％、可視光透過率の最小値が０．３％であった。透過率の最小値が１％未満であるので、暗状態において高いプライバシー性を確保できている。なお、本明細書では、可視光透過率が最大となる位置を第１の位置、可視光透過率が最小となる位置を第２の位置と言う場合がある。
【００７０】
（iv）図１０は、ストライプ幅と階調数から求められるスライド量を示す図である。横軸にはストライプ幅が示され、縦軸には階調数が示されている。横軸と縦軸との交点に示されている数値が、該当するストライプ幅と階調数との組み合わせによって決定されるスライド量となっている。
ここで、スライド量は、λ／２の位相差を生じさせる位相差層を２枚対応させる場合、階調数×ストライプ幅×（（９０°−４５°）／１８０°）（以下、式１）によって定義することができる。階調数は、上述のように、１枚の調光基板における遅相軸０°から１８０°までの領域での階調の変化数を示す値であり、階調数の値は４の倍数であることが好ましい。４の倍数とすることにより当該階調数において一番明るい状態を作ることができるからである。ストライプ幅は、上述のように、同一遅相軸の値を有する領域の幅（ｍｍ）を示す値である。最終項は、２枚の調光基板を相対的にずらす際に明状態から暗状態にするための遅相軸の変化量（角度差）が遅相軸の取り得る範囲（０°から１８０°）における割合を示している。例えば、偏光板同士がクロスニコルの関係にあるとき、明状態の場合、第１の調光基板１１−１と第２の調光基板１１−２との遅相軸の差は４５°となり、暗状態の場合、第１の調光基板１１−１と第２の調光基板１１−２との遅相軸の差は９０°となる。従って、明状態から暗状態まで変化するための遅相軸の変化量は９０°−４５°＝４５°となる。
【００７１】
上述のように、調光装置１の筺体（フレーム）の幅の観点から、スライド量を大きくすればよいというものではなく、例えば、上限として５０ｍｍ程度、より好ましくは４０ｍｍである。また、貼合ずれやスライド精度を考慮すると、スライド量は少なくとも１ｍｍ以上は必要である。
【００７２】
以上のように、１ｍｍ以上約５０ｍｍ以下という条件を満たすスライド量の範囲は、図１０の背景が濃いグレーの背景を有する部分および薄いグレーの背景を有するハッチング部分ということになる。つまり、スライド量は１ｍｍ以上５０．８ｍｍ以下、ストライプ幅は０．０１ｍｍ以上２５．４ｍｍ以下、階調数は４以上２０４８以下となる。
【００７３】
（v）しかし、図１０で示した範囲は、スライド量のみから判断した値であり、ユーザが感覚的に良好であると感じない場合も含まれている可能性がある。
そこで、さらに、階調数やストライプ幅の観点からも検証した。その際に官能評価を実施した。図１１は、可視光透過率の官能評価結果を示す図である。当該官能評価では、実施例１として階調数３２およびストライプ幅１ｍｍとし、実施例２として階調数５１２およびストライプ幅０．１ｍｍとした。図１０を参照すると、実施例１の場合のスライド量は８ｍｍとなり、実施例２の場合のスライド量は１２．８ｍｍとなる。なお、官能評価で使用した各調光基板は、上記（iii）にて可視光透過率を測定した際に用いた調光基板とは異なるため、図１１に示される可視光透過率の最大値が異なっていることに留意すべきである。透過率の最大値の差異は、例えば、偏光板と位相差フィルムの貼合時の角度ずれなど、貼合精度に起因する場合がある。
【００７４】
官能評価の結果、ユーザにとって透過率が最大の状態（最も明るい状態）と同等の視認性を得たのは、実施例１の場合はスライド量で３ｍｍの幅の位置（スライド量７ｍｍ以上１０ｍｍ未満）であり、実施例２の場合にはスライド量で５ｍｍの幅の位置（スライド量１１ｍｍ以上１６ｍｍ未満）であった。つまり、官能評価の結果、透過率が最大（最大に明るい）と評価できるのは、実施例１ではストライプ数で３個分であり、実施例２ではストライプ数で５０個分であった。実施例１の結果からは、透過率が最大値（２１．４％）から−０．６％（つまり、透過率が２０．８％の位置）以内となる位置であれば透過率最大（最大に明るい）と評価するのに充分な透過率が得られ、−２．２％（つまり、透過率が１９．２％の位置）であれば透過率最大よりも暗くなったと感じることが分かった。また、実施例２の結果からは、透過率が最大値（２１．１％）から−１．２％（つまり、透過率が１９．９の位置）以内となる位置であれば透過率最大（最大に明るい）と評価するのに充分な透過率が得られ、−２．４％（つまり、透過率が１８．７％の位置）であれば透過率最大よりも暗くなったと感じることが分かった。最大の透過率が２０％以上３５％以下であるとき、最大の透過率から絶対値で透過率が２％少ない位置までであれば、ユーザにとって透過率が最大の状態と同等の視認性を得られることが分かった。また、上記と同様の官能評価の結果、ユーザにとって透過率が最小の状態（最も暗い状態）と同等の視認性を得たのは、最小の透過率から絶対値で透過率が２％大きい位置までであることが分かった。
【００７５】
さらに、透過率が最大の状態と同等の視認性が認められる範囲は、ある程度のスライド誤差（例えば、１．０ｍｍ未満）があってもユーザが最大の透過率の状態であると感じられるように、所定値以上あることが好ましい。例えば、実施例１からは、上述のように、スライド量が７．０ｍｍ以上１０．００ｍｍ未満の幅にあるときにユーザが透過率最大であると認識しうる範囲内であることから、実際に透過率が最大の状態となる位置（第１の位置）と透過率が最大の状態と同等の視認性が認められる位置（第３の位置）との距離は、３ｍｍの半分の１．５ｍｍである。また、例えば、一方、実施例２からは、上述のように、スライド量が１１．０ｍｍ以上１６ｍｍ未満の幅にあるときにユーザが透過率最大であると認識しうる範囲内であることから、実際に透過率が最大の状態となる位置（第１の位置）と透過率が最大の状態と同等の視認性が認められる位置（第３の位置）との距離は、５ｍｍの半分の２．５ｍｍである。従って、実施例１および２の場合、第３の位置同士の距離は、それぞれ３ｍｍおよび５ｍｍとなっていて、上記スライド誤差１ｍｍ以上になっており、実用上問題ないことが分かる。以上、スライド誤差の理論値および実施例１および２による実験（官能評価による検証）によれば、第１の位置と第３の位置との距離は、０．５ｍｍ以上、好ましくは１.５ｍｍ以上、必要である（つまり、スライド量で言うと３ｍｍ以上あることが好ましい）と判断できる。
【００７６】
官能評価として実施例１についても良好な結果が得られたと判断してもよいが、実施例１の階調数は３２であるため、明るさの遷移が滑らかではないと判断するユーザが存在する可能性がある。実際、実施例１に対する、暗状態から明状態への遷移させた場合の明るさ変化の自然さに関する評価は、実施例２よりも高くはなかった。なお、実施例１および２においては、可視光透過率の最大値が２０数％程度となっているが、この値は調光基板の製造精度や層構成に依存して変動することがある。第１の調光基板と第２の調光基板における対応する領域同士の位相差を適正化したり、位相差が生じにくい部材を選択して層構成したりすることにより、当該最大値を３５％程度にすることは可能である。
【００７７】
（vi）図１２は、図１１で示される官能評価の結果を一般化して明状態および暗状態と判断できる範囲を示す図である。図１１で示す官能評価によって得られたように、ユーザにとって透過率が最大の状態（例えば、透過率が２０％から３５％）と同等と感じられる（最も明るい状態であると感じられる）のは、透過率が最大から絶対値で２％減以内の範囲に収まるときである。また、ユーザにとって透過率が最小の状態（例えば、透過率の最小値は０％以上０．３％以下になるように設定される）と同等と感じられる（最も暗い状態であると感じられる）のは、透過率が最小から２％増以内の範囲に収まるときである。
【００７８】
図１２において、透過率が最大の位置（第１の位置）をＰ１、透過率が最大値から絶対値で２％減となる位置（第３の位置）をＰ２およびＰ３とすると、Ｐ３−Ｐ２の値が貼合誤差によって影響を受けるスライド精度よりも大きければユーザの視認性に影響を与えることがないことが分かった。同様に、透過率が最小の位置（第２の位置）をＰ４、透過率が最小値から絶対値で２％増となる位置（第４の位置）をＰ５およびＰ６とすると、Ｐ６−Ｐ５の値が貼合誤差によって影響を受けるスライド精度よりも大きければユーザの視認性に影響を与えることがないことが分かった。
【００７９】
さらに、図１１と図１２とを併せて考察すると、透過率が最大の位置（第１の位置）Ｐ１と透過率が最大値から絶対値で２％減となる位置（第３の位置）Ｐ２あるいはＰ３で規定される範囲の中には、透過率が変化する点が、実施例１からは３点存在し、実施例２からは５０点存在することが分かる。また、透過率が最小の位置（第２の位置）Ｐ４と透過率が最大値から絶対値で２％増となる位置Ｐ４およびＰ５で規定される範囲の中における透過率の変化点の数についても同様である。実施例１の場合が官能評価として得られる良好な結果の下限とすれば、このＰ１とＰ２およびＰ３、あるいはＰ４とＰ４およびＰ５によって規定される範囲における透過率の変化点の数は、３点以上必要となることが分かる。
【００８０】
（vii）図１３は、本実施形態による、ストライプ幅と階調数との各組み合わせにおいて、透過率が最大値から絶対値で２％減となる位置（第３の位置）同士の距離（Ｐ２とＰ３の距離：透過率の最大値から２％以内に収まるスライド量）を示す図である。
上述したように、第３の位置間の距離（Ｐ２とＰ３との距離）は、１ｍｍ以上あることが必要である。この条件を図１３上に反映させると、濃いグレーの背景を有する箇所のストライプ幅および階調数の組み合わせが該当する。この組み合わせの範囲は、図１０で示される範囲（図１０において濃いグレーの背景を有する部分および薄いグレーの背景を有するハッチング部分の範囲）よりも小さくなっていることが分かる。
【００８１】
（viii）図１４は、本実施形態による、ストライプ幅と階調数との各組み合わせにおいて、官能評価によってストライプ間の境界が目立たないと判断できる組み合わせを示す図である。図１４において、◎は評価として非常に良好であった組み合わせを示し、○は評価として良好であった組み合わせを示し、×は評価として実用に耐えられない（ストライプ間の境界が目立ってしまっている）組み合わせを示している。
【００８２】
階調数が大きくなればなるほど、隣り合うストライプ間の遅相軸の角度差が少なくなるため、ストライプ間の境界は目立ちにくくなる。なお、当該官能評価は、図１３で示されるストライプ幅と階調数との組み合わせ（図１３において濃いグレーの背景を有する範囲）に対して行われたものであり、図１３で得られた範囲をさらに限定する結果となっている。
【００８３】
図１４の官能評価の結果からは次のことが分かる。ストライプ幅が２ｍｍの場合、階調数が６４以上あれば、調光性能は非常に良好である。ストライプ幅が１ｍｍの場合、階調数が１２以上１２８以下であれば、調光性能は非常に良好である。ストライプ幅が０．７５ｍｍの場合、階調数が１６以上１２８以下であれば、調光性能は非常に良好である。ストライプ幅が０．５ｍｍの場合、階調数が２０以上２５６以下であれば、調光性能は非常に良好である。ストライプ幅が０．２ｍｍ以上０．２５ｍｍ以下の場合、階調数が６４以上５１２以下であれば、調光性能は非常に良好である。ストライプ幅が０．１ｍｍの場合、階調数が１２８以上１０２４以下であれば、調光性能は非常に良好である。ストライプ幅が０．０１ｍｍの場合、階調数が１０２４以上２０４８以下であれば、調光性能は非常に良好である。
【００８４】
（ix）図１５は、本実施形態における、図１４の結果に対して追加のファクタを適用して得られた、調光装置に採用する場合に良好なストライプ幅と階調数との組み合わせを示す図である。
【００８５】
ここで、適用した追加のファクタには、例えば、明状態⇔暗状態間の状態遷移が人にとって自然であること（例えば、ストライプ幅を１ｍｍ以上にする場合には階調数を６４以上とすること）、階調数をどこまで微細にする必要があるか否か（例えば、２０４８は微細過ぎるとして不採用）、スライド量を４０ｍｍ以下であることを前提としてさらに好ましい３ｍｍ以上２６ｍｍ以下とすること、等が含まれる。このような追加のファクタを考慮して得られた結果が図１５において濃いグレーの背景を有する部分のストライプ幅と階調数の組み合わせである。
【００８６】
（x）図１０から図１５までの結果をまとめると、次のことが言える。
（x-1）調光装置１において、明状態⇔暗状態間のスライド量は、筺体のフレーム幅およびスライド精度の観点から１ｍｍ以上４０ｍｍ以下、好ましくは３ｍｍ以上２６ｍｍ以下である。
【００８７】
（x-2）階調数は４の倍数となるように設定することが好ましい。
【００８８】
（x-3）透過率の官能評価の結果、最大の透過率（最も明るい状態）と同様の視認性を得るには、最大の透過率の値から-２％以内の範囲に最も明るい状態となる位置を設定する必要があり、最小の透過率（最も暗い状態）と同様の視認性を得るには、最小の透過率の値から＋２％以内の範囲に最も暗い状態となる位置を設定する必要がある。つまり、明状態となる位置、および暗状態となる位置はピンポイントではなく、一定の幅（範囲）を以て設定することができる。
【００８９】
（x-4）ストライプ間の境界が目立たなくするためには、ストライプ幅が０．０１ｍｍ以上２ｍｍ以下、階調数が６４以上あることが望ましい。ただし、ストライプ幅が０．７５ｍｍ以上２ｍｍ未満の場合には１６階調以上あればよく、ストライプ幅が０．５ｍｍ以上０．７５ｍｍ未満の場合には２０階調以上あればよい。
【００９０】
（x-5）図１０において、濃いグレーの背景を有する部分および薄いグレーの背景を有するハッチング部分が好ましいストライプ幅と階調数との組み合わせを示している。ただし、例えば、ストライプ幅０．０１ｍｍ＆階調数６４の組み合わせとストライプ幅０．１ｍｍ＆階調数６４の組み合わせとの間にスライド量１．０ｍｍの境界が存在する。上記式１を用いてこの境界の組み合わせを求めると、ストライプ幅０．０６２５ｍｍ＆階調数６４となる。同様に式１に基づいて、スライド量が１ｍｍとなる境界を演算し、より正確なストライプ幅と階調数の範囲を求めると、ストライプ幅が０．００７８ｍｍ以上２５．４ｍｍ以下、および階調数が１２以上２０４８以下となるストライプ幅と階調数との各組み合わせの中から所望の組み合わせを採用することが望ましいと分かる。例えば、ストライプ幅が０．１ｍｍ以上３ｍｍ以下、および階調数が１２以上２０４８以下となるストライプ幅と階調数との各組み合わせの中から所望の組み合わせを採用することが望ましいと分かる。
【００９１】
図１０の濃いグレーの背景を有する部分および薄いグレーの背景を有するハッチング部分の境界領域のデータ（例えば、ストライプ幅０．２ｍｍ、階調数３２の組み合わせのデータ）において、スライド量が１ｍｍよりも大きい場合に、スライド量が１ｍｍとなるストライプ幅を含めて考えると、
階調数４の場合：ストライプ幅は、１．０ｍｍ以上２５．４ｍｍ以下；
階調数８の場合：ストライプ幅は、０．５ｍｍ以上２５．４ｍｍ以下；
階調数１２の場合：ストライプ幅は、０．３３ｍｍ以上１２．７ｍｍ以下；
階調数１６の場合：ストライプ幅は、０．２５ｍｍ以上１２．７ｍｍ以下；
階調数２０の場合：ストライプ幅は、０．２ｍｍ以上３．０ｍｍ以下；
階調数３２の場合：ストライプ幅は、０．１２５ｍｍ以上３．０ｍｍ以下；
階調数６４の場合：ストライプ幅は、０．０６２５ｍｍ以上３．０ｍｍ以下；
階調数６８の場合：ストライプ幅は、０．０５８８ｍｍ以上２．０ｍｍ以下；
階調数７２の場合：ストライプ幅は、０．０５５６ｍｍ以上２．０ｍｍ以下；
階調数７６の場合：ストライプ幅は、０．０５２６ｍｍ以上２．０ｍｍ以下；
階調数１２８の場合：ストライプ幅は、０．０３１３ｍｍ以上１．０ｍｍ以下；
階調数２５６の場合：ストライプ幅は、０．０１５６ｍｍ以上０．７５ｍｍ以下；
階調数５１２の場合：ストライプ幅は、０．００７８１ｍｍ以上０．２５ｍｍ以下；    階調数１０２４の場合：ストライプ幅は、０．００３９０ｍｍ以上０．１ｍｍ以下；    階調数２０４８の場合：ストライプ幅は、０．００１９５ｍｍ以上０．０１ｍｍ以下（下限はスライド量１ｍｍを基準に算出）
となる。
【００９２】
なお、さらに検証を重ねた結果、スライド量としては、３ｍｍ以上２６ｍｍ以下であることがより好ましいことが分かった。これを考慮すると、
階調数４の場合：ストライプ幅は、３．０ｍｍ以上２５．４ｍｍ以下；
階調数８の場合：ストライプ幅は、１．５ｍｍ以上１３．０ｍｍ以下；
階調数１２の場合：ストライプ幅は、１．０ｍｍ以上８．６７ｍｍ以下；
階調数１６の場合：ストライプ幅は、０．７５ｍｍ以上１６．５ｍｍ以下；
階調数２０の場合：ストライプ幅は、０．６ｍｍ以上３．０ｍｍ以下；
階調数３２の場合：ストライプ幅は、０．３８ｍｍ以上３．０ｍｍ以下；
階調数６４の場合：ストライプ幅は、０．１８８ｍｍ以上１．６２５ｍｍ以下；
階調数６８の場合：ストライプ幅は、０．１７６ｍｍ以上１．５３ｍｍ以下；
階調数７２の場合：ストライプ幅は、０．１６７ｍｍ以上１．４４ｍｍ以下；
階調数７６の場合：ストライプ幅は、０．１５８ｍｍ以上１．３７ｍｍ以下；
階調数１２８の場合：ストライプ幅は、０．０９４ｍｍ以上０．８１２５ｍｍ以下；    階調数２５６の場合：ストライプ幅は、０．０４７ｍｍ以上０．４０６ｍｍ以下；
階調数５１２の場合：ストライプ幅は、０．０２３ｍｍ以上０．２０３ｍｍ以下；
階調数１０２４の場合：ストライプ幅は、０．０１２ｍｍ以上０．１ｍｍ以下；
階調数２０４８の場合：ストライプ幅は、該当する範囲なし
となる。
【００９３】
さらに、図１５を考慮すると、ストライプ幅は０．０１以上１．０ｍｍ以下、階調数は１６以上１０２４以下となる。より正確に表現すると、
階調数４の場合：該当するストライプ幅なし；
階調数８の場合：該当するストライプ幅なし；
階調数１２の場合：該当するストライプ幅なし；
階調数１６の場合：ストライプ幅は、０．２５ｍｍ；
階調数２０の場合：ストライプ幅は、０．５ｍｍ以上０．７５ｍｍ以下；
階調数３２の場合：ストライプ幅は、０．５ｍｍ以上０．７５ｍｍ以下；
階調数６４の場合：ストライプ幅は、０．２ｍｍ以上１．０ｍｍ以下；
階調数６８の場合：ストライプ幅は、０．２ｍｍ以上１．０ｍｍ以下；
階調数７２の場合：ストライプ幅は、０．２ｍｍ以上１．０ｍｍ以下；
階調数７６の場合：ストライプ幅は、０．２ｍｍ以上１．０ｍｍ以下；
階調数１２８の場合：ストライプ幅は、０．１ｍｍ以上１．０ｍｍ以下；
階調数２５６の場合：ストライプ幅は、０．１ｍｍ以上０．５ｍｍ以下；
階調数５１２の場合：ストライプ幅は、０．１ｍｍ以上０．２５ｍｍ以下；
階調数１０２４の場合：ストライプ幅は、０．０１ｍｍ以上０．１ｍｍ以下；
階調数２０４８の場合：該当するストライプ幅なし
となる。
【００９４】
（x-6）第１の位置Ｐ１と第３の位置Ｐ２およびＰ３との間にある変化点の数（言い換えれば、Ｐ１とＰ２とＰ３とで規定される範囲内に含まれる変化点の数）を見積もったところ、階調数が２５６以上であれば当該範囲に変化点の数は２０点以上存在することが分かった。例えば、図１１の官能評価の結果を見ると、実施例１の場合、階調数が３２で変化点の数が３点であり、実施例２の場合、階調数が５１２で変化点の数が５０点である。
【００９５】
このような、第１の位置および第２の位置と第３の位置および第４の位置で規定される変化点の存在を考えると、第１の位置Ｐ１や第２の位置Ｐ４に手動で位置合わせを行う際に生じる位置ずれによって、調光装置１における開口部の見え方（ユーザの感じ方）に変化がある可能性がある。この点、図１１の結果からは、階調数が３２で第１の位置と第３の位置の間に変化点が３点以上ある場合、スライドによって多少の位置ずれが生じても、見た目に差が感じられないことが分かった。ただし、好ましくは、階調数が２５６以上で変化点の数が２０点以上、さらに好ましくは階調数が５１２以上で変化点の数が５０点以上である。
【００９６】
一方、階調数が３２で第１の位置Ｐ１と第３の位置Ｐ２およびＰ３の間に変化点が３点未満の場合、スライドによって多少の位置ずれが生じると、暗さを感じることがあった。同様に第２の位置Ｐ４と第４の位置Ｐ５およびＰ６との間における変化点の数（言い換えれば、Ｐ４とＰ５とＰ６とで規定される範囲内に含まれる変化点の数）においても、３点以上ある場合には遮光性が高くプライバシー性が良好であると感じ、３点以上ない場合にはスライド操作によってはプライバシー性が良好ではないと感じることがあった。ただし、この場合も、好ましくは、階調数が２５６以上で変化点の数は２０点以上、さらに好ましくは階調数が５１２以上で変化点の数が５０点以上である。
【００９７】
＜まとめ＞
（i）本実施形態では、吸収型の偏光層を用いているが、反射型の偏光層を用いても良い。また、本実施形態では、第１位相差層および第２位相差層において、隣接する透過率の変化点同士の距離は、上記ストライプ幅に相当する。従って、第１位相差層および第２位相差層における、透過率の変化点の数は、ストライプ数−１で表すことができる。ここで、ストライプとは、面内遅相軸（光軸）が同一の領域を言い、ストライプ幅とは、面内遅相軸（光軸）が同一の領域の幅を言う。
【００９８】
（ii）本開示の実施形態による調光装置１は、例えば、住宅用窓、パーティション、間仕切り、住宅用天窓、自動車のサンルーフ、自動車のサンバイザー等に用いることができる。調光装置１が住宅用窓、パーティション、間仕切り等に適用される場合、第１の調光基板１１−１（可動）及び第２の調光基板１１−２（固定）は、地面に対し垂直ないし斜めに配置されるように構成されてもよい。また、調光装置１が住宅用天窓や自動車のサンルーフ等に適用される場合、第１の調光基板１１−１（可動）及び第２の調光基板１１−２（固定）は、地面に対し斜めないし平行に配置されるように構成されてもよい。したがって、上述の説明の「上」と「下」の関係は、「天」と「地」の関係に限らない。さらに、調光装置１は、第１の調光基板１１−１（可動）及び第２の調光基板１１−２（固定）という２つの調光基板を有する形態に限らない。なお、第１の調光基板１１−１（可動）を地面に対し垂直方向ないし斜め方向にスライド移動させる形態の場合、透過状態あるいは遮光状態を構成するポジションを維持するために、第１の調光基板１１−１（可動）を保持する機構を設けるようにしてもよい。
【００９９】
（iii）本実施形態による調光装置１は、吸収型の第１偏光層と吸収型の第２偏光層の間に配置され、互いに少なくとも部分的に対面するように構成された第１位相差層および第２位相差層と、を有し、第１位相差層は、第１軸に沿って面内遅相軸が段階的に変化する複数の第１調光領域を有し、第２位相差層は、前記第１調光領域に対応し、かつ、前記第１軸に沿って面内遅相軸が段階的に変化する複数の第２調光領域を有している。ここで、第１位相差層および第２位相差層の少なくとも一方は、対面する領域が変化するように可動で構成される。そして、透過率が最大値（Ｔ１（％））となるときの第１位相差層と第２位相差層との相対的な位置を第１の位置（Ｐ１）とし、第１の位置（Ｐ１）から透過率が漸減し最初に最小値（Ｔ２（％））となるときの第１位相差層と第２位相差層との相対的な位置を第２の位置（Ｐ４）とすると、第１の位置と第２位置の距離が４０ｍｍ以下であり、第１の位置における透過率が２０％以上かつ３５％以下となっている。また、第１の位置（Ｐ１）と、第１の位置と第２の位置（Ｐ４）の間に存在し、透過率がＴ１より絶対値で２％小さくなる第３の位置（Ｐ２およびＰ３）との距離が１ｍｍ以上となっている。さらに、第１の位置と第３の位置とによって規定される範囲内において透過率が変化する点が３点以上（上記実施例１による）存在している。このような条件設定をすることにより、階調タイプの調光装置１において、調光装置の大型化および採光面積の縮小を避けつつ、所望の調光性能を確実に得ることが可能となる。また、人にとって明状態（最も明るい状態）と感じられる、第１位相差層と第２位相差層の相対的位置関係を一定の幅をもって設定することができるため、各位相差層の貼合精度を厳しくしなくても明状態を創りだすことができる。
【０１００】
（iv）また、調光装置１において、上記透過率の最小値（Ｔ２）は、０．０１％以上０．３以下になるように設定される。このとき、第２の位置（Ｐ４）と、第１の位置（Ｐ１）と第２の位置の間に存在し透過率がＴ２よりも絶対値で２％大きくなる第４の位置（Ｐ５およびＰ６）との距離が１ｍｍ以上となるように設定される。このようにすることにより、人にとって暗状態（最も暗い状態）と感じられる、第１位相差層と第２位相差層の相対的位置関係を一定の幅をもって設定することができるため、各位相差層の貼合精度を厳しくしなくても暗状態を創りだすことができる。
【０１０１】
（v）さらに、可動の位相差層のスライド量（第１の位置と第２の位置との距離に基づいて規定される）を３ｍｍ以上２６ｍｍ以下とすることがより好ましい。また、第１の位置（Ｐ１）と第３の位置（Ｐ２およびＰ３）とによって規定される範囲に透過率が変化する点が２０点以上、さらに好ましくは、５０点以上存在するようにするとよい。このようにすることにより、所望の調光性能をさらに確実に得ることが可能となる。
【符号の説明】
【０１０２】
１  調光装置
１０  筐体
１１  調光基板
１１−１  第１の調光基板
１１−２  第２の調光基板
１２  取っ手部
２０  テープ
３０  第１調光フィルム
３１  第１基板
３２  第１偏光層
３３  第１位相差層
３４  第１領域
３５  第２領域
４０  第２調光フィルム
４１  第２基板
４２  第２偏光層
４３  第２位相差層
４４  第３領域
４５  第４領域
１１１  第１調光領域
１１２  第２調光領域
【図１】
2019045840.tif 000003
【図２】
2019045840.tif 000004
【図３】
2019045840.tif 000005
【図４】
2019045840.tif 000006
【図５】
2019045840.tif 000007
【図６】
2019045840.tif 000008
【図７】
2019045840.tif 000009
【図８】
2019045840.tif 000010
【図９】
2019045840.tif 000011
【図１０】
2019045840.tif 000012
【図１１】
2019045840.tif 000013
【図１２】
2019045840.tif 000014
【図１３】
2019045840.tif 000015
【図１４】
2019045840.tif 000016
【図１５】
2019045840.tif 000017
【手続補正書】
【提出日】平成30年9月6日(2018.9.6)
【手続補正２】
【補正対象書類名】明細書
【補正対象項目名】００９３
【補正方法】変更
【補正の内容】
【００９３】
さらに、図１５を考慮すると、ストライプ幅は０．０１以上１．０ｍｍ以下、階調数は１６以上１０２４以下となる。より正確に表現すると、
階調数４の場合：該当するストライプ幅なし；
階調数８の場合：該当するストライプ幅なし；
階調数１２の場合：該当するストライプ幅なし；
階調数１６の場合：ストライプ幅は、０．７５ｍｍ；
階調数２０の場合：ストライプ幅は、０．５ｍｍ以上０．７５ｍｍ以下；
階調数３２の場合：ストライプ幅は、０．５ｍｍ以上０．７５ｍｍ以下；
階調数６４の場合：ストライプ幅は、０．２ｍｍ以上１．０ｍｍ以下；
階調数６８の場合：ストライプ幅は、０．２ｍｍ以上１．０ｍｍ以下；
階調数７２の場合：ストライプ幅は、０．２ｍｍ以上１．０ｍｍ以下；
階調数７６の場合：ストライプ幅は、０．２ｍｍ以上１．０ｍｍ以下；
階調数１２８の場合：ストライプ幅は、０．１ｍｍ以上１．０ｍｍ以下；
階調数２５６の場合：ストライプ幅は、０．１ｍｍ以上０．５ｍｍ以下；
階調数５１２の場合：ストライプ幅は、０．１ｍｍ以上０．２５ｍｍ以下；
階調数１０２４の場合：ストライプ幅は、０．０１ｍｍ以上０．１ｍｍ以下；
階調数２０４８の場合：該当するストライプ幅なし
となる。
【手続補正３】
【補正対象書類名】特許請求の範囲
【補正対象項目名】全文
【補正方法】変更
【補正の内容】
【特許請求の範囲】
【請求項１】
透過率が段階的に変化する調光装置であって、
吸収型の第１偏光フィルムと、
吸収型の第２偏光フィルムと、
前記第１偏光フィルムと前記第２偏光フィルムの間に配置され、互いに少なくとも部分的に対面するように構成された第１位相差フィルムおよび第２位相差フィルムと、を有し、
前記第１位相差フィルムは、第１軸に沿って面内遅相軸が段階的に変化する複数の第１調光領域を有し、
前記第２位相差フィルムは、前記第１調光領域に対応し、かつ、前記第１軸に沿って面内遅相軸が段階的に変化する複数の第２調光領域を有し、
前記第１位相差フィルムおよび前記第２位相差フィルムの少なくとも一方は、対面する領域が変化するように可動であり、
透過率が最大値（Ｔ１（％））となるときの前記第１位相差フィルムと前記第２位相差フィルムとの相対的な位置を第１の位置とし、前記第１の位置から透過率が漸減し最初に最小値（Ｔ２（％））となるときの前記第１位相差フィルムと前記第２位相差フィルムとの相対的な位置を第２の位置とすると、
前記第１の位置と前記第２の位置の距離が４０ｍｍ以下であり、
前記第１の位置における透過率の最大値（Ｔ１）が２０％以上かつ３５％以下であり、
前記第１位相差フィルムあるいは前記第２位相差フィルムの可動方向における前記第１の位置の両サイドに２つの第３の位置が存在し、当該２つの第３の位置における透過率がＴ１より絶対値で２％小さくなる位置であり、前記第１の位置と前記２つの第３の位置のそれぞれとの距離が１ｍｍ以上であり、
前記第２の位置における透過率の最小値（Ｔ２）が０．０１％以上０．３％以下であり、
前記第１位相差フィルムあるいは前記第２位相差フィルムの可動方向における前記第２の位置の両サイドに２つの第４の位置が存在し、当該２つの第４の位置における透過率がＴ１より絶対値で２％大きくなる位置であり、前記第１の位置と前記２つの第４の位置のそれぞれとの距離が１ｍｍ以上であり、
前記第１の位置と前記第３の位置とによって規定される範囲内において透過率が変化する点が３点以上存在し、
前記第１位相差フィルムおよび前記第２位相差フィルムの少なくとも一方の可動範囲は、前記２つの第３の位置の間の任意の位置から前記２つの第４の位置の間の任意の位置までの範囲に規制されている、調光装置。
【請求項２】
請求項１において、
前記第１位相差フィルムおよび前記第２位相差フィルムの一方のみが可動に構成され、
可動の位相差フィルムは、固定の位相差フィルムよりも、可動方向の長さが短く構成されている、調光装置。
【請求項３】
請求項１または２において、
前記第１の位置と前記第２の位置との距離は、３ｍｍ以上２６ｍｍ以下である、調光装置。
【請求項４】
請求項１から３の何れか１項において、
前記第１の位置と前記第３の位置とによって規定される範囲に透過率が変化する点が２０点以上存在する、調光装置。
【請求項５】
請求項１から４の何れか１項において、
前記第１の位置と前記第３の位置とによって規定される範囲に透過率が変化する点が５０点以上存在する、調光装置。
【請求項６】
請求項１から５の何れか１項において、
さらに、前記第１位相差フィルムを支持する第１基板と、前記第２位相差フィルムを支持する第２基板と、を有し、
前記第１軸の上で前記第１基板の端部と前記第２基板の端部とを合わせたとき、透過率が（最大値−２％）以内の値又は（最小値＋２％以内の値）をとるように構成されている、調光装置。
【請求項７】
透過率が段階的に変化する調光装置であって、
吸収型の第１偏光フィルムと、
吸収型の第２偏光フィルムと、
前記第１偏光フィルムと前記第２偏光フィルムの間に配置され、互いに少なくとも部分的に対面するように構成された第１位相差フィルムおよび第２位相差フィルムと、を有し、
前記第１位相差フィルムは、第１軸に沿って面内遅相軸が段階的に変化する複数の第１調光領域を有し、
前記第２位相差フィルムは、前記第１調光領域に対応し、かつ、前記第１軸に沿って面内遅相軸が段階的に変化する複数の第２調光領域を有し、
前記第１位相差フィルムおよび前記第２位相差フィルムの少なくとも一方は、対面する領域が変化するように可動であり、
透過率が最大値（Ｔ１（％））となるときの前記第１位相差フィルムと前記第２位相差フィルムとの相対的な位置を第１の位置とし、前記第１の位置から透過率が漸減し最初に最小値（Ｔ２（％））となるときの前記第１位相差フィルムと前記第２位相差フィルムとの相対的な位置を第２の位置とすると、
前記第１の位置と前記第２の位置との距離が１ｍｍ以上４０ｍｍ以下であり、
前記第１の位置と前記第２の位置の間には、１点以上５１２点以下の透過率の変化点が存在し、
前記第１位相差フィルムあるいは前記第２位相差フィルムの可動方向における前記第１の位置の両サイドに２つの第３の位置が存在し、当該２つの第３の位置における透過率がＴ１より絶対値で２％小さくなる位置であり、前記第１の位置と前記２つの第３の位置のそれぞれとの距離が１ｍｍ以上であり、
前記第１位相差フィルムあるいは前記第２位相差フィルムの可動方向における前記第２の位置の両サイドに２つの第４の位置が存在し、当該２つの第４の位置における透過率がＴ１より絶対値で２％大きくなる位置であり、前記第１の位置と前記２つの第４の位置のそれぞれとの距離が１ｍｍ以上であり、
前記第１位相差フィルムおよび前記第２位相差フィルムの少なくとも一方の可動範囲は、前記２つの第３の位置の間の任意の位置から前記２つの第４の位置の間の任意の位置までの範囲に規制されており、
前記第１位相差フィルムおよび前記第２位相差フィルムにおいて、前記面内遅相軸が０°から１８０°まで変化する際の光軸の分割数である階調数が４の倍数の値に設定されている、調光装置。
【請求項８】
請求項７において、
隣接する透過率の変化点同士の距離をストライプ幅とすると、
前記第１の位置と前記第２の位置との距離は、前記階調数×前記ストライプ幅÷４によって規定される、調光装置。
【請求項９】
請求項８において、
前記第１の位置と前記第２の位置との距離は、３．０ｍｍ以上２６．０ｍｍ以下である、調光装置。
【請求項１０】
請求項９において、
前記階調数が４の場合、前記ストライプ幅は、３．０ｍｍ以上２５．４ｍｍ以下である、調光装置。
【請求項１１】
請求項９において、
前記階調数が８の場合、前記ストライプ幅は、１．５ｍｍ以上１３．０ｍｍ以下である、調光装置。
【請求項１２】
請求項９において、
前記階調数が１２の場合、前記ストライプ幅は、１．０ｍｍ以上８．６７ｍｍ以下である、調光装置。
【請求項１３】
請求項９において、
前記階調数が１６の場合、前記ストライプ幅は、０．７５ｍｍ以上１６．５ｍｍ以下である、調光装置。
【請求項１４】
請求項９において、
前記階調数が２０の場合、前記ストライプ幅は、０．６ｍｍ以上３．０ｍｍ以下である、調光装置。
【請求項１５】
請求項９において、
前記階調数が３２の場合、前記ストライプ幅は、０．３８ｍｍ以上３．０ｍｍ以下である、調光装置。
【請求項１６】
請求項９において、
前記階調数が６４の場合、前記ストライプ幅は、０．１８８ｍｍ以上１．６２５ｍｍ以下である、調光装置。
【請求項１７】
請求項９において、
前記階調数が６８の場合、前記ストライプ幅は、０．１７６ｍｍ以上１．５３ｍｍ以下である、調光装置。
【請求項１８】
請求項９において、
前記階調数が７２の場合、前記ストライプ幅は、０．１６７ｍｍ以上１．４４ｍｍ以下である、調光装置。
【請求項１９】
請求項９において、
前記階調数が７６の場合、前記ストライプ幅は、０．１５８ｍｍ以上１．３７ｍｍ以下である、調光装置。
【請求項２０】
請求項９において、
前記階調数が１２８の場合、前記ストライプ幅は、０．０９４ｍｍ以上０．８１２５ｍｍ以下である、調光装置。
【請求項２１】
請求項９において、
前記階調数が２５６の場合、前記ストライプ幅は、０．０４７ｍｍ以上０．４０６ｍｍ以下である、調光装置。
【請求項２２】
請求項９において、
前記階調数が５１２の場合、前記ストライプ幅は、０．０２３ｍｍ以上０．２０３ｍｍ以下である、調光装置。
【請求項２３】
請求項９において、
前記階調数が１０２４の場合、前記ストライプ幅は、０．０１２ｍｍ以上０．１ｍｍ以下である、調光装置。
【請求項２４】
請求項７から２３の何れか１項において、
前記第１の位置における透過率が２０％以上かつ３５％以下である、調光装置。
【請求項２５】
請求項２４において、
前記第１の位置と前記第３の位置とによって規定される範囲内において透過率が変化する点が３点以上存在する、調光装置。
【請求項２６】
請求項２４または２５において、
前記第１の位置と前記第３の位置とによって規定される範囲に透過率が変化する点が５０点以上存在する、調光装置。